(57)【要約】【課題】ケーブルの外装の様にある程度の厚さ及び硬さを有するものであっても安全、確実かつ容易に作業が出来る、電工用ナイフカバーを提供する。【解決手段】ナイフの刀身と略同形状であって一回り大きい大きさから成る鞘形状の本体１から成り、当該本体１の刀身先端の切っ先に相当する部分と刃先に相当する部分の一部に切欠き２、３を設け、当該本体１の一部に砥石機能を持たせた。また、上記本体１の内側の少なくとも一面に砥石機能を有する一片５を持たせても良い。又は上記本体１の外側の少なくとも一面に砥石機能を持たせても良い。さらに、上記本体１の外側の一面に砥石機能を持った別の略鞘形状部又は略袋形状部を設けても良い。【選択図】図１
0003204314.tif 000002
【実用新案登録請求の範囲】
【請求項１】
ナイフの刀身と略同形状であって一回り大きい大きさから成る鞘形状の本体から成り、当該本体において、当該本体に挿入するナイフの刀身先端の切っ先に相当する部分と刃先に相当する部分の一部に切欠きを設け、
当該本体の一部に砥石機能を持たせたことを特徴とする、電工用ナイフカバー。
【請求項２】
ナイフの刀身と略同形状であって一回り大きい大きさから成る鞘形状の本体から成り、当該本体において、当該本体に挿入するナイフの刀身先端の切っ先に相当する部分に切欠きを設け、上記切欠きを設けた端縁と反対側の端縁の一部に切欠きを設け、
当該本体の一部に砥石機能を持たせたことを特徴とする、電工用ナイフカバー。
【請求項３】
上記本体の内側の少なくとも一面に砥石機能を持たせたことを特徴とする、上記請求項１又は２の何れかに記載の電工用ナイフカバー。
【請求項４】
上記本体の外側の少なくとも一面に砥石機能を持たせたことを特徴とする、上記請求項１、２又は３の何れかに記載の電工用ナイフカバー。
【請求項５】
上記本体の外側の一面に砥石機能を持った別の略鞘形状部又は略袋形状部を設けたことを特徴とする、上記請求項１、２、３又は４の何れかに記載の電工用ナイフカバー。
【請求項６】
上記本体は、刃先に相当する部分又は峰に相当する部分を軸として、峰に相当する部分又は刃先に相当する部分を開閉自在とし、当該峰に相当する部分又は刃先に相当する部分の一部に接続機構を設けたことを特徴とする、上記請求項１、２、３、４又は５の何れかに記載の電工用ナイフカバー。
【考案の詳細な説明】
【技術分野】
【０００１】
この考案は、電気工事等において、配線用の電線等の外装を剥ぎ取る際などに使用する電工用ナイフのカバーに関するものである。
【背景技術】
【０００２】
配線用の電線等を接続等行う電気工事においては、図１０に示す様な電工用ナイフ（以下、単に「ナイフ」と言う。）Ｇを使って、上記送電用ケーブルの外装を剥いで導体を露出させる作業が日常的に行われている。このナイフＧは、刃の部分からなる刀身２１と柄２２から成り、刀身２１は刃の付いている刃先２１ａ、先端の切っ先２１ｂ及び背の峰２１ｃから成る。この様なナイフＧは長い刃先２１ａが露出しているので、上記作業の際、手、指等を切創する怪我を負うこともあり、作業時には手袋を着用するようになっている。しかし、手袋を着用すると作業が行い難く、手袋を着用しないで作業を行うことが少なくなく、怪我をすることがある。
【０００３】
一方、果物ナイフの安全カバーとして、特許文献１に示すものがある。この果物ナイフの安全カバーは、刀身の外側に装着した際、当該刀身と安全カバーの内側面との間に２ｍｍの隙間を設けて、果物の皮を剥く時、上記隙間から剥いた果物の皮が出て来る様になっており、上記安全カバーによって、果物ナイフの刃先が使用者側に露出しないようにした状態で果物の皮を剥くことが出来るので使用者にとって安全であると言うものである。
【特許文献１】特開平９−１５５０８１号公報
【考案の開示】
【考案が解決しようとする課題】
【０００４】
しかしながら、前記特許文献１のものでは、果物の皮の様に薄く柔らかいものを剥く時には使用できるかもしれないが、上記ケーブルの外装の様にある程度の厚みを持つ硬いものでは使用出来ない。また、果物ナイフの一側面は完全に安全カバーで覆われているのでケーブルの外装などに切り込みを入れることは出来ず、また、ケーブルの外装を手際良く剥ぐことも出来ない。さらに、果物ナイフの先端の切っ先は完全に安全カバーに隠れてしまっている。これらのことから、上記特許文献１の様な安全カバーでは、上記電工用ナイフカバーとしては使用出来ない。
【０００５】
この考案は、これらの点に鑑みて為されたもので、ケーブルの外装の様にある程度の厚さ及び硬さを有するものであっても安全、確実かつ容易に作業が出来る、電工用ナイフカバーを提供して前記課題を解決するものである。
【課題を解決するための手段】
【０００６】
請求項１の考案は、ナイフの刀身と略同形状であって一回り大きい大きさから成る鞘形状の本体から成り、当該本体において、当該本体に挿入するナイフの刀身先端の切っ先に相当する部分と刃先に相当する部分の一部に切欠きを設け、当該本体の一部に砥石機能を持たせた、電工用ナイフカバーとした。
【０００７】
請求項２の考案は、ナイフの刀身と略同形状であって一回り大きい大きさから成る鞘形状の本体から成り、当該本体において、当該本体に挿入するナイフの刀身先端の切っ先に相当する部分に切欠きを設け、上記切欠きを設けた端縁と反対側の端縁の一部に切欠きを設け、当該本体の一部に砥石機能を持たせた、電工用ナイフカバーとした。
【０００８】
請求項３の考案は、上記本体の内側の少なくとも一面に砥石機能を持たせた、上記請求項１又は２の何れかに記載の電工用ナイフカバーとした。
【０００９】
請求項４の考案は、上記本体の外側の少なくとも一面に砥石機能を持たせた、上記請求項１、２又は３の何れかに記載の電工用ナイフカバーとした。 
【００１０】
請求項５の考案は、上記本体の外側の一面に砥石機能を持った別の略鞘形状部又は略袋形状部を設けた、上記請求項１、２、３又は４の何れかに記載の電工用ナイフカバーとした。
【００１１】
請求項６の考案は、上記本体は、刃先に相当する部分又は峰に相当する部分を軸として、峰に相当する部分又は刃先に相当する部分を開閉自在とし、当該峰に相当する部分又は刃先に相当する部分の一部に接続機構を設けた、上記請求項１、２、３、４又は５の何れかに記載の電工用ナイフカバーとした。
【考案の効果】
【００１２】
請求項１、２、３、４及び５の各考案によれば、ナイフの刃先や切っ先が必要以上に露出することが無いので、手、指などを切創する怪我を負うことなく、ケーブル等の厚さ及び硬さを有するものであっても安全、確実かつ容易に剥ぎ取り作業が出来る。また、このナイフカバーの一部には砥石機能を持たせたので、ナイフの刀身を差し入れ等するだけでナイフの刃先を研ぐことが出来、便利である。
【００１３】
また、さらに、請求項２の考案によれば、本体の切っ先に相当する部分に設けた切欠きからナイフの切っ先が露出している時は刃先に相当する部分に切欠きは無く、また、刃先に相当する部分に設けた切欠きからナイフの刃先は露出している時は本体の切っ先に相当する部分に切欠きは無い。よって、使用する箇所のみの刃が露出しているため、非常に安全であり、作業者も安心して作業を行うことが出来る。
【００１４】
また、請求項６の考案によれば、上記効果に加えて、ナイフカバーを開閉自在に設けたので、内側に設けた砥石機能を有するものの効果が悪くなると容易に取り換えることが出来、また、内側の掃除もし易い。
【図面の簡単な説明】
【００１５】
【図１】この考案の実施の形態例１のナイフカバーをナイフに取り付けた状態の斜視図である。
【図２】この考案の実施の形態例１のナイフカバーの正面図である。
【図３】この考案の実施の形態例１のナイフカバーを取り付けたナイフを使ってケーブルの外装を削っている状態の斜視図である。
【図４】この考案の実施の形態例２のナイフカバーの正面図である。
【図５】この考案の実施の形態例３のナイフカバーの正面図である。
【図６】この考案の実施の形態例４のナイフカバーを縦に開いた状態の展開図である。
【図７】この考案の実施の形態例５のナイフカバーの正面図である。
【図８】この考案の実施の形態例５のナイフカバーをナイフに取り付けた状態の斜視図である。
【図９】この考案の実施の形態例５のナイフカバーを取り付けたナイフを使ってケーブルの外装を削っている状態の斜視図である。
【図１０】電工用ナイフの斜視図である。
【考案を実施するための最良の形態】
【００１６】
（実施の形態例１）
以下、この考案の実施の形態例１の電工用ナイフカバー（以下、単に、「ナイフカバー」と言う。）Ａを図に基づいて説明する。このナイフカバーＡは、図１、２及び１０に示す様に、ナイフＧの刀身２１と略同形状であって一回り大きい大きさの鞘形状の本体１から成る。材質としては、この本体１が形成できるものなら、革、プラスティック、紙、布など何でも良い。
【００１７】
また、この本体１において、ナイフの刀身先端の切っ先に相当する部分に切欠き２を設けており、また、刃先に相当する部分の手前側の最も良く使用する箇所を中心に略半円形状の切欠き３を設けている。これらの切欠き２及び切欠き３は、本体１の両側に設けられている。さらに、この本体１のナイフ差込口４付近の内側の両面に砥石機能を有する一片５を夫々貼着させて取り付けている。砥石機能を有する素材としては、砥石の他、マジックシャープナー（商標）や床屋で使用されているカミソリを研ぐ布帛や革帯など砥石機能を有するものなら何でも使用できる。
【００１８】
次に、このナイフカバーＡの使用方法を説明する。まず、図１に示す様に、ナイフＧの刀身２１にこのナイフカバーＡを被せて取付ける。すると、このナイフカバーＡの先端の切欠き２からナイフＧの切っ先２１ｂの両側面が露出し、また、このナイフカバーＡのナイフの刃先２１ａに相当する部分の一部の略半円形状の切欠き３から刃先２１ａの一部の両側面が露出した状態となる。
【００１９】
この様なナイフＧを使って、図３に示す様に、このナイフカバーＡの切欠き３から露出したナイフＧの刃先２１ａをケーブルＦの外装に直角に押し当てて当該刃先２１ａをケーブルの外周に沿って回して環状の切り込みを入れ、当該外装を剥ぐように削る。また、ケーブルＦの長手方向に沿って当該ケーブルＦの外装に長手方向に沿って切り込みを入れるには、このナイフカバーＡの先端の切欠き２から露出したナイフＧの切っ先２１ｂをケーブルＦに押し当てて切り込みを入れる。
【００２０】
この様にして使用することにより、ナイフＧの刃先２１ａ及び切っ先２１ｂが必要以上に露出することが無く、安全であり、作業者の手、指などを切創する怪我を負うことを大きく減少させることが出来る。また、手袋を嵌める必要が無いので作業性を損なうこともない。
【００２１】
また、このナイフカバーＡのナイフ差込口４付近の内側の両面に砥石機能を有する一片５を貼着させているので、このナイフカバーＡの中にナイフＧの刀身２１を差し入れて抜き差しすることにより当該ナイフＧの刃先２１ａを研ぐことが出来る。また、作業が終わったら、当該ナイフカバーＡを外して通常のカバーを装着する。
【００２２】
（実施の形態例２）
以下、この考案の実施の形態例２のナイフカバーＢを図に基づいて説明する。ここでは、上記実施の形態例１のナイフカバーＡと相違する構成のみを説明する。
【００２３】
この実施の形態例２では、図４に示す様に、ナイフカバーＢの外側先端の一面に、粗い砥石機能を有する一片６を貼着させ、同他面に細かい砥石機能を有する一片（図示省略）を持たせたものである。この様なナイフカバーＢをナイフＧに被せて取り付けて使用出来るのは上記実施の形態例１と同様である。また、ナイフＧの刃先２１ａ及び切っ先２１ｂを上記粗い方の一片６又は細かい方の一片に擦りあわせて、当該ナイフＧの刃先２１ａを研ぐことが出来る。
【００２４】
（実施の形態例３）
以下、この考案の実施の形態例３のナイフカバーＣを図に基づいて説明する。ここでは、上記実施の形態例１、２のナイフカバーＡ、Ｂと相違する構成のみを説明する。
【００２５】
この実施の形態例３では、図５に示す様に、ナイフカバーＣの外側先端及び後端の一面に上記半円形状の切欠き３を挟んで、内側に砥石機能を有する一片７ａ、７ｂの上下端を夫々貼着させて略鞘形状部７を設けたものである。つまり、ナイフＧを入れる鞘形状の本体８とは別に、ナイフ研ぎ用の略鞘形状部７を設けたものである。この様なナイフカバーＣをナイフＧに被せて取り付けて作業に使用出来るのは上記実施の形態例１、２と同様である。また、略鞘形状部７の中をナイフＧの刀身２１を出し入れして刃先２１ａ及び切っ先２１ｂを研ぐことが出来る。
【００２６】
（実施の形態例４）
以下、この考案の実施の形態例４のナイフカバーＤを図に基づいて説明する。ここでは、上記実施の形態例１、２及び３のナイフカバーＡ、Ｂ及びＣと相違する構成のみを説明する。
【００２７】
図６はナイフカバーＤの展開図を示し、ナイフカバーＤを形成する鞘形状は刃先に相当する部分９を軸として峰に相当する部分１０を開閉自在とし、当該峰に相当する部分１０の一部に接続機構としてスナップ１１を設けたものである。また、この鞘形状の内側の先端及び後端には砥石機能を有する一片１２ａ、１２ｂを夫々貼着して取り付けている。
【００２８】
これにより、この開閉自在なナイフカバーＤを上記刃先に相当する部分９を軸として折り込んでナイフＧの峰に相当する部分でスナップ１１を固定し、鞘状物が完成した状態でナイフＧに被せて取り付けて作業に使用することが出来るのは、上記実施の形態例１、２及び３と同様である。また、ナイフＧの刀身２１を当該ナイフカバーＤの中を出し入れして刃先２１ａ及び切っ先２１ｂを研ぐことが出来る。
【００２９】
このナイフカバーＤの両側を接続する機構としては上記スナップ１１に限らず、面ファスナーやその他の接続機構が使用出来る。また、刃先に相当する部分９を軸とし、峰に相当する部分１０を開閉自在としたがもちろん峰に相当する部分１０を軸とし、刃先に相当する部分９を開閉自在に設けても良い。
【００３０】
また、このナイフカバーが開閉自在なので、砥石機能を有する一片１２ａ、１２ｂの効果が悪くなると容易に取り換えることが出来、また、当該ナイフカバー内側の掃除もし易い。
【００３１】
（実施の形態例５）
以下、この考案の実施の形態例５のナイフカバーＥを図に基づいて説明する。ここでは、上記実施の形態例１、２、３及び４のナイフカバーＡ、Ｂ、Ｃ及びＤと相違する構成のみを説明する。
【００３２】
図７に示す様に、上記ナイフカバーＥの本体１３の、ナイフＧの刀身２１の切っ先２１ｂに相当する部分に設けた切欠き１４と上記ナイフＧの刃先に相当する部分に設けた切欠き１５は、長手方向の相対向する異なる端縁に夫々設けている。それ故、この様なナイフカバーＥをナイフＧに取付けた際、図８に示す様に、このナイフカバーＥの先端の切欠き１４からナイフＧの切っ先２１ｂが露出している時、切欠き１５からはナイフＧの刃先２１ａは露出していない。
【００３３】
よって、ケーブルＦの外装に切り込みを入れる時、図９に示す様に、切欠き１５からナイフＧの刃先２１ａは露出しているがナイフカバーＥの先端の切欠き１４からはナイフＧの切っ先２１ｂは露出していない。それ故、このナイフカバーＥをナイフＧに取り付けると、使用する箇所の切欠き１５又は１４だけに刃先２１ａ又は切っ先２１ｂが露出し、ナイフＧの他の部分は露出していないので極めて安全である。
【００３４】
また、上記実施の形態例１、３では、略半円形状の切欠き３を設けているが、この切欠き３の形状としては略半円形状に限るものでは無く、目的に合った最適な形状を採用すれば良い。また、このナイフカバーＡを取り付けたナイフＧをケーブルＦの外装を剥ぎ取るのに使用しているが、ケーブルＦの他、他の電線の外装等を剥ぎ取る際にももちろん使用出来る。
【００３５】
また、上記実施の形態例２では、ナイフカバーＢの外側先端の両側面に砥石機能を有する一片６を設けたがこれらはどちらか一方だけでも良い。さらに、実施の形態例３では、本体の外側の一面に砥石機能を持った別の略鞘形状部又は略袋形状部として、略鞘形状部の具体的な構成を記載したが、略鞘形状部又は略袋形状部としての形状はこれに限らず、実施の形態例３と同様の効果を奏することが出来るならば、もちろん他の形状でも良い。
【符号の説明】
【００３６】
Ａ    ナイフカバー        Ｂ    ナイフカバー    Ｃ    ナイフカバー
Ｄ    ナイフカバー        Ｅ    ナイフカバー    Ｆ    ケーブル
１    本体                ２    切欠き          ３    切欠き
４    ナイフ差込口        ５   一片             ６    一片
７    略鞘形状部          ７ａ  一片            ７ｂ  一片
８    本体                ９   刃先に相当する部分
１０    峰に相当する部分  １１    スナップ      １２ａ  一片
１２ｂ  一片              １３    本体          １４    切欠き
１５    切欠き            ２１    刀身          ２１ａ  刃先
２１ｂ  切っ先            ２１ｃ  峰            ２２    柄
【図１】
0003204314.tif 000003
【図２】
0003204314.tif 000004
【図３】
0003204314.tif 000005
【図４】
0003204314.tif 000006
【図５】
0003204314.tif 000007
【図６】
0003204314.tif 000008
【図７】
0003204314.tif 000009
【図８】
0003204314.tif 000010
【図９】
0003204314.tif 000011
【図１０】
0003204314.tif 000012